(57)【特許請求の範囲】
【請求項１】
内面が反射面であり、外面が乱反射面である平板状の天板（１１）と、
対向して設けられるとともに、それぞれ前記天板（１１）に接続される２つの第１側板（１２）であって、前記天板（１１）が傾斜して設けられるように、それぞれは、第１端のサイズが第２端のサイズより大きくされ、前記第１端の間に出光用欠け（１３）が形成されている２つの第１側板（１２）と、を含むマスクユニット（１０）、
を備え、
前記マスクユニット（１０）は、前記出光用欠け（１３）を複数のサブ出口に分けるように前記２つの第１側板（１２）間に設けられる仕切り板（１４）、をさらに含み、前記マスクユニット（１０）は、前記２つの第１側板（１２）の第２端の間に接続される第２側板（１５）、をさらに含み、
前記マスクユニット（１０）は、遮断板（１６）をさらに含み、前記遮断板（１６）は、前記２つの第１側板（１２）の位置に対応して前記天板（１１）の外面に設けられる第１遮断板を含むことを特徴とする反射マスク。
【請求項２】
前記マスクユニット（１０）が複数あり、複数の前記マスクユニット（１０）が複数行に配置され、隣り合う２つの前記マスクユニット（１０）のうち、一方の前記マスクユニット（１０）における前記２つの第１側板（１２）の第１端が、他方の前記マスクユニット（１０）における前記２つの第１側板（１２）の第２端と隣り合って設けられることを特徴とする請求項１に記載の反射マスク。
【請求項３】
複数の前記マスクユニット（１０）が一体成形された構造であることを特徴とする請求項２に記載の反射マスク。
【請求項４】
前記天板（１１）の外面が白くされることを特徴とする請求項１に記載の反射マスク。
【請求項５】
前記天板（１１）は内面にクロムめっき層が設けられていることを特徴とする請求項１に記載の反射マスク。
【請求項６】
前記遮断板（１６）は、前記仕切り板（１４）の位置に対応して前記天板（１１）の外面に設けられる第２遮断板をさらに含むことを特徴とする請求項１に記載の反射マスク。
【請求項７】
ＬＥＤランプビーズ（２０）が設けられたフェースプレート（３０）と、反射マスクと、を備えるＬＥＤ表示装置であって、
前記反射マスクが請求項１乃至６のうち何れか一項に記載の反射マスクであり、前記反射マスクで前記フェースプレート（３０）がカバーされることを特徴とするＬＥＤ表示装置。
【請求項８】
前記フェースプレート（３０）上に反射用めっき層が設けられていることを特徴とする請求項７に記載のＬＥＤ表示装置。
【発明の詳細な説明】
【技術分野】
【０００１】
本発明は、ディスプレイの技術分野に関し、具体的には、反射マスク及びそれを備えたＬＥＤ表示装置に関する。
【背景技術】
【０００２】
図１に示すように、従来のＬＥＤディスプレイスクリーンのＬＥＤランプ１から出射した光線が、何の媒体も経ずに観察者４の目に直接入るが、ディスプレイスクリーンは、表示画面のコントラストを高めるために、ＬＥＤランプ１同士間に黒いプラスチック製のマスク２が充填されており、この場合、ＬＥＤランプ１からの高輝度光線と黒いマスク２との間ではひどい光強度コントラスト、即ちグレア現象が存在する。
【０００３】
図２に示すように、従来のＬＥＤディスプレイスクリーンの表面に透明なプラスチック製のアトマイジングマスク３を実装し、それぞれのＬＥＤランプ１を個々の小箱に分け入れ、これにより、ＬＥＤランプ１から発した光線がアトマイジングマスク３に直射し、そしてプラスチックのつや消し面を透過して観察者４の目に入る従来技術もある。このような方法でも直射光が人の目に入り、理想的な効果を達成していない。
【発明の概要】
【発明が解決しようとする課題】
【０００４】
本発明は、従来技術において、ＬＥＤディスプレイスクリーンを見る際の視認性が良くないとの問題を解決するために、反射マスク及びそれを備えたＬＥＤ表示装置を提供することを主な目的とする。
【課題を解決するための手段】
【０００５】
上記目的を達成するために、本発明の一態様によれば、内面が反射面であり、外面が乱反射面である平板状の天板と、対向して設けられるとともに、それぞれ天板に接続される２つの第１側板であって、天板が傾斜して設けられるように、それぞれは、第１端のサイズが第２端のサイズより大きくされ、第１端の間に出光用欠けが形成されている２つの第１側板と、を含むマスクユニット、を備える反射マスクが提供される。
【０００６】
さらに、マスクユニットは、出光用欠けを複数のサブ出口に分けるように２つの第１側板間に設けられる仕切り板、をさらに含んでも良い。
【０００７】
さらに、マスクユニットが複数あり、複数のマスクユニットが複数行に配置され、隣り合う２つのマスクユニットのうち、一方のマスクユニットにおける２つの第１側板の第１端が、他方のマスクユニットにおける２つの第１側板の第２端と隣り合って設けられてもい。
【０００８】
さらに、複数のマスクユニットが一体成形された構造であってもよい。
【０００９】
さらに、マスクユニットは、２つの第１側板の第２端の間に接続される第２側板、をさらに含んでも良い。
【００１０】
さらに、天板の外面が白くされてもよい。
【００１１】
さらに、天板は内面にクロムめっき層が設けられていてもよい。
【００１２】
さらに、マスクユニットは、遮断板をさらに含み、遮断板は、２つの第１側板の位置に対応して天板の外面に設けられる第１遮断板を含んでも良い。
【００１３】
さらに、遮断板は、仕切り板の位置に対応して天板の外面に設けられる第２遮断板をさらに含んでも良い。
【００１４】
本発明の他の一態様によれば、ＬＥＤランプビーズが設けられたフェースプレートと、反射マスクと、を備えるＬＥＤ表示装置であって、反射マスクが上述したものであり、反射マスクでフェースプレートがカバーされるＬＥＤ表示装置が提供される。
【００１５】
さらに、フェースプレート上に反射用めっき層が設けられていても良い。
【発明の効果】
【００１６】
本発明の技術案によれば、マスクユニットでＬＥＤランプビーズがカバーされ、ＬＥＤランプビーズから発した光が天板の内面に照射し、天板の内面によりＬＥＤランプビーズからの光を他のマスクユニットの外面に反射させ、外面が内面で反射した光を乱反射させ、これにより、ＬＥＤランプビーズの光線が均一に散乱され、観察者が柔らかくて均一な光を受け取るようになり、観察者がＬＥＤディスプレイスクリーンを見る際の視認性を向上させる構造である。
【００１７】
本願の一部を構成する明細書用図面は、本発明をさらに理解させるためのものであり、また、本発明における模式的実施形態及びその説明は本発明を説明するものであり、本発明を不当に限定するものではない。実施形態
【図面の簡単な説明】
【００１８】
【図１】従来技術による黒いマスク付きＬＥＤ表示装置の実施形態の構造を示す図である。
【図２】従来技術によるアトマイジングマスク付きＬＥＤ表示装置の実施形態の構造を示す図である。
【図３】本発明によるＬＥＤ表示装置の実施例を示す斜視図である。
【図４】図３のＬＥＤ表示装置を示す側面図である。
【図５】図３のＬＥＤ表示装置を他の角度から見た図である。
【図６】図３のＬＥＤ表示装置を示す断面図である。
【図７】図３のＬＥＤ表示装置の光路進行方向を示す図である。
【発明を実施するための形態】
【００１９】
なお、衝突しない限り、本願の実施形態及び実施形態中の構成要件を組み合わせることができる。以下、図面を参照しつつ実施形態を結合して本発明を詳しく説明する。
【００２０】
図３乃至図５に示すように、本実施形態に係る反射マスクは、マスクユニット１０を備える。マスクユニット１０は、天板１１と、２つの第１側板１２と、を含む。天板１１は、平板状であり、その内面が反射面であり、外面が乱反射面である。２つの第１側板１２が対向して設けられるとともに、それぞれ天板１１に接続され、２つの第１側板１２のそれぞれは、天板１１が傾斜して設けられるように第１端のサイズが第２端のサイズより大きくされ、２つの第１側板１２の第１端の間に光出射用欠け１３が形成されている。
【００２１】
本実施形態の技術案によれば、マスクユニットでＬＥＤランプビーズがカバーされ、ＬＥＤランプビーズから発した光が天板１１の内面に照射し、天板１１の内面により、ＬＥＤランプビーズから発した光を他のマスクユニットの外面に反射させ、外面が内面で反射した光を乱反射させ、これにより、ＬＥＤランプビーズからの光線が均一に散乱され、観察者が柔らかくて均一な光を受け取るようになり、観察者がＬＥＤディスプレイスクリーンを見る際の視認性を向上させる構造である。
【００２２】
図３と図４に示すように、本実施形態の技術案において、マスクユニット１０は、出光用欠け１３を複数のサブ出口に分けるように２つの第１側板１２間に設けられる仕切り板１４、をさらに含む。上記構造によれば、マスクユニットの強度を高める一方、マスクユニット１０によりＬＥＤディスプレイスクリーンを異なるユニットに分けることができ、ＬＥＤディスプレイスクリーンにおける各サブユニット間で発した光線が互いに邪魔し合うことを回避する。具体的には、マスクユニット１０は、ＬＥＤランプビーズの数に応じて仕切り板１４が設けられる。さらに具体的には、天板の外面が白くされる。出光用欠け１３が矩形に開口する。
【００２３】
図３乃至図５に示すように、本実施形態の技術案において、マスクユニット１０が複数あり、複数のマスクユニット１０が複数行に配置され、隣り合う２つのマスクユニット１０のうち、一方のマスクユニット１０における２つの第１側板１２の第１端が他方のマスクユニット１０における２つの第１側板１２の第２端と隣り合って設けられる。上記構造によれば、ＬＥＤランプビーズから発した光が内面で反射した後、出光用欠け１３を経て隣り合う他のマスクユニット１０の外面に反射するように保証し、これにより、マスクユニット１０同士がコンパクトに配置され、観察効果が良い。具体的には、複数のマスクユニット１０が一体成形された構造である。上記構造は、加工しやすい。
【００２４】
図３乃至図７に示すように、本実施形態の技術案において、マスクユニット１０は、２つの第１側板１２の第２端の間に接続される第２側板１５、をさらに含む。第１側板が台形である場合、第２側板１５が２つの第１側板１２の第２端に設けられる構造は、マスクユニット１０の光漏れがないように保証する。
【００２５】
本実施形態の技術案（未図示）において、天板１１は内面にクロムめっき層が設けられている。上記構造は、加工や製造が簡単であり、反射効果がよく、低コストになる。
【００２６】
図３乃至図５に示すように、本実施形態の技術案において、マスクユニット１０は、遮断板１６をさらに含み、遮断板１６は、２つの第１側板１２の位置に対応して天板１１の外面に設けられる第１遮断板を含む。さらに、遮断板１６は、仕切り板１４の位置に対応して天板１１の外面に設けられる第２遮断板をさらに含む。上記構造により、マスクユニット１０の外面で反射した光線が互いに邪魔しないように保証される。
【００２７】
本願ではＬＥＤ表示装置がさらに提供される。本願によるＬＥＤ表示装置は、ＬＥＤランプビーズ２０が設けられたフェースプレート３０と、反射マスクと、を備える。反射マスクが上述したものであり、反射マスクでフェースプレート３０がカバーされる。上記構造のＬＥＤ表示装置は、視認性に優れている。
【００２８】
本願に係るフェースプレート３０上に反射用めっき層が設けられており、これにより、光線の強度を高め、光線の損失を低減することができる。
【００２９】
本願の技術案によれば、直射光線を回避して視認性を向上させることができるほか、ピクセルフィルレートが１００％となる効果をも有し、即ち、グレアの発生を回避する。マスクにて乱反射面の面積が大きく、画素ごとに独立に１つの反射面を有し、その大きさがほぼ画素ピッチの平方になる。しかし、従来のＬＥＤスクリーンのＬＥＤランプはサイズが小さく、その発光面積の総面積に対する比率が、通常、約１０％〜３０％のように小さいため、グレア現象が生じる。以下、Ｐ４（４ｍｍの画素ピッチ）のＬＥＤ表示装置を例にする。
【００３０】
ＬＥＤランプビーズのサイズを１．６ｍｍ×１．６ｍｍとし、従来のディスプレイスクリーンにおけるＬＥＤランプビーズのピクセルフィルレートをＳ１とし、本願のＬＥＤのピクセルフィルレートをＳ２とする場合、以下のように算出する。
Ｓ１＝１．６＊１．６／４＊４＝１６％で、
Ｓ２＝４＊４／４＊４＝１００％である。
【００３１】
大きなピクセルフィルレートにより視認性が著しく向上する。
【００３２】
本発明のＬＥＤ出射光路の説明にあたり、図６と図７に示すように、ＬＥＤ画素ピッチをＰとし、本発明におけるマスクの厚みをＹとし、個別のマスクの高さをＸとする。所定のＬＥＤランプビーズより上方の反射マスクの番号をＮとしたら、それから光線が出射した後、第Ｎ＋１番目の反射マスクで乱反射し、反射マスクの内面で反射した光線は、第１領域１００にある場合、乱反射に関与することができる。一方、反射マスクの内面で反射した光線は、第２領域２００にある場合、乱反射に関与することができないとともに、第Ｎ＋２番目の反射マスクに投射されない。
【００３３】
以上は、本発明の好適な実施形態に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【符号の説明】
【００３４】
１…ＬＥＤランプ、２…黒いプラスチック製のマスク、３…アトマイジングマスク、４…観察者、１０…マスクユニット、１１…天板、１２…第１側板、１３…出光用欠け、１４…仕切り板、１５…第２側板、１６…遮断板、２０…ＬＥＤランプビーズ、３０…フェースプレート、１００…第１領域、２００…第２領域。
【図１】
0006315395.tif 000002
【図２】
0006315395.tif 000003
【図３】
0006315395.tif 000004
【図４】
0006315395.tif 000005
【図５】
0006315395.tif 000006
【図６】
0006315395.tif 000007
【図７】
0006315395.tif 000008